(57)【要約】  【課題】  優先度が高いデータを従来の同報データ配信装置およびＤＳＲＣシステムより確実に車載装置に再生させることができる同報データ配信装置およびＤＳＲＣシステムを提供する。  【解決手段】  コンテンツデータ配信センター２からネットワーク３を介して配信されたコンテンツデータを車載装置４に同報送信する路側機１に適用される同報データ配信装置において、同報送信可能な通信エリア内に進入した車載装置４がセンサ１０によって検知されたときに、優先度が高いデータから同報送信するよう制御するＥＰＵ１２を備える。【選択図】  図１
2006254184.tif 000002
【特許請求の範囲】
【請求項１】
データを車載装置に同報送信する同報データ配信装置において、
同報送信可能な通信エリア内に進入した前記車載装置が検知されたときに、優先度が高いデータから同報送信するよう制御する送信制御部を備えたことを特徴とする同報データ配信装置。
【請求項２】
前記送信制御部は、前記車載装置が前記通信エリアを通過する通過時間を予測し、予測した通過時間に基づいて同報送信するデータを選択することを特徴とする請求項１に記載の同報データ配信装置。
【請求項３】
前記送信制御部は、前記通過時間に応じたデータ量以内で、同報送信するデータに誤り訂正データを付加することを特徴とする請求項２に記載の同報データ配信装置。
【請求項４】
前記送信制御部は、前記車載装置によって送信された情報に基づいて前記優先度にしたがって同報送信するか否かを決定することを特徴とする請求項１乃至請求項３の何れかに記載の同報データ配信装置。
【請求項５】
前記送信制御部は、前記車載装置によって送信された車両種別を表す情報に基づいて前記優先度を定めることを特徴とする請求項１乃至請求項３の何れかに記載の同報データ配信装置。
【請求項６】
データを同報送信する同報データ配信装置と、
同報送信されたデータを再生する車載装置とを備え、
前記同報データ配信装置は、同報送信可能な通信エリア内に進入した前記車載装置が検知されたときに、優先度が高いデータから同報送信することを特徴とするＤＳＲＣシステム。
【請求項７】
同報データ配信装置を用いてデータを車載装置に同報送信する同報送信方法において、
同報送信可能な通信エリア内に進入した前記車載装置が検知されたときに、前記同報データ配信装置に優先度が高いデータから同報送信させることを特徴とする同報送信方法。
【発明の詳細な説明】
【技術分野】
【０００１】
本発明は、同報データ配信装置およびＤＳＲＣ（Dedicated Short Range Communication）システムに関し、例えば、コンテンツデータを同報送信する同報データ配信装置およびＤＳＲＣシステムに関するものである。
【背景技術】
【０００２】
現在、ＤＳＲＣシステムを用いた有料道路での自動料金収受システム（Electronic Toll Collection System、「ＥＴＣシステム」ともいう。）が普及しており、様々なＤＳＲＣシステムの運用形態が考案されている。ＤＳＲＣシステムの運用形態として、例えば、駐車場管理システム、インターネットへの接続、および、走行車両への情報提供などがあるが、特に、走行車両への情報提供においては、路側機からコンテンツデータを同報送信し、コンテンツデータを受信した車載装置がコンテンツの再生を行うという運用形態が考えられている。
【０００３】
この運用形態においては、路側機が同一のデータを繰り返し同報送信するため、同報送信可能な通信エリア内での電界の乱れにより車載装置において分割されたコンテンツデータの一部が取りこぼされたり、車載装置が全てのコンテンツデータを受信する時間より通信エリアを通過する時間が短かったりした場合に、車載装置がコンテンツを再生できなくなることがある。
【０００４】
これらを解消する路側機として適用される従来の同報データ配信装置としては、分割したコンテンツデータの中で優先度が高いデータの送信回数を多くして優先度が高いコンテンツを車載装置が再生できる可能性を高めるものがある（例えば、特許文献１参照）。
【特許文献１】特開平１１―２３８０１９号公報
【発明の開示】
【発明が解決しようとする課題】
【０００５】
しかしながら、従来の同報データ配信装置およびこれを適用したＤＳＲＣシステムにおいては、優先度が高いデータを同報送信するときに電界の乱れやすい通信エリアの端に車載装置がある場合には、優先度が高いデータを車載装置が再生できなくなることがあるといった課題があった。
【０００６】
本発明は、従来の課題を解決するためになされたもので、優先度が高いデータを従来の同報データ配信装置およびＤＳＲＣシステムより確実に車載装置に再生させることができる同報データ配信装置およびＤＳＲＣシステムを提供することを目的とする。
【課題を解決するための手段】
【０００７】
本発明の同報データ配信装置は、データを車載装置に同報送信する同報データ配信装置において、同報送信可能な通信エリア内に進入した前記車載装置が検知されたときに、優先度が高いデータから同報送信するよう制御する送信制御部を備えた構成を有している。
【０００８】
この構成により、本発明の同報データ配信装置は、車載装置が通信エリア内に進入したときに、優先度が高いデータから同報送信を開始するため、優先度が高いデータを従来の同報データ配信装置より確実に車載装置に再生させることができる。
【０００９】
なお、前記送信制御部は、前記車載装置が前記通信エリアを通過する通過時間を予測し、予測した通過時間に基づいて同報送信するデータを選択するようにしてもよい。
【００１０】
この構成により、本発明の同報データ配信装置は、車載装置が受信しきれないデータを同報送信することを防止することができる。
【００１１】
また、前記送信制御部は、前記通過時間に応じたデータ量以内で、同報送信するデータに誤り訂正データを付加するようにしてもよい。
【００１２】
この構成により、本発明の同報データ配信装置は、車載装置に誤り訂正データに基づいて同報送信したデータを訂正させることができるため、データをより確実に車載装置に再生させることができる。
【００１３】
また、前記送信制御部は、前記車載装置によって送信された情報に基づいて前記優先度にしたがって同報送信するか否かを決定するようにしてもよい。
【００１４】
この構成により、本発明の同報データ配信装置は、車載装置によって送信された情報に基づいて優先度にしたがって同報送信するか否かを決定するため、特定の車載装置に優先度が高いデータをより確実に再生させることができ、車載装置に応じたサービスを提供することができる。
【００１５】
また、前記送信制御部は、前記車載装置によって送信された車両種別を表す情報に基づいて前記優先度を定めるようにしてもよい。
【００１６】
この構成により、本発明の同報データ配信装置は、車両の種別を表す情報に基づいてデータの優先度を定めるため、車両種別に応じた優先度が高いデータをより確実に車載装置に再生させることができる。
【００１７】
また、本発明のＤＳＲＣシステムは、データを同報送信する同報データ配信装置と、同報送信されたデータを再生する車載装置とを備え、前記同報データ配信装置は、同報送信可能な通信エリア内に進入した前記車載装置が検知されたときに、優先度が高いデータから同報送信するように構成されている。
【００１８】
この構成により、本発明のＤＳＲＣシステムは、車載装置が通信エリア内に進入したときに、優先度が高いデータから同報送信を開始するため、優先度が高いデータを従来のＤＳＲＣシステムより確実に車載装置に再生させることができる。
【００１９】
また、本発明の同報送信方法は、同報データ配信装置を用いてデータを車載装置に同報送信する同報送信方法において、同報送信可能な通信エリア内に進入した前記車載装置が検知されたときに、前記同報データ配信装置に優先度が高いデータから同報送信させる。
【００２０】
この方法により、本発明の同報送信方法は、車載装置が通信エリア内に進入したときに、優先度が高いデータから同報送信を開始するため、優先度が高いデータを従来より確実に車載装置に再生させることができる。
【発明の効果】
【００２１】
本発明は、優先度が高いデータを従来の同報データ配信装置およびＤＳＲＣシステムより確実に車載装置に再生させることができるといった効果を有する同報データ配信装置およびＤＳＲＣシステムを提供することができる。
【発明を実施するための最良の形態】
【００２２】
以下、本発明の実施の形態について、図面を参照して説明する。
【００２３】
なお、以下に説明する本発明の実施の形態においては、本発明に係る同報データ配信装置を路側機として適用し、本発明に係る同報データ配信装置を構成する送信制御部をＥＰＵ（Execution Processing Unit）を用いて構成した例について説明する。
【００２４】
（第１の実施の形態）
本発明の第１の実施の形態のＤＳＲＣシステムを図１に示す。
【００２５】
路側機１は、コンテンツデータを配信するコンテンツデータ配信センター２にネットワーク３を介して接続され、コンテンツデータ配信センター２から配信されたコンテンツデータを車載装置４に同報送信するようになっている。
【００２６】
路側機１は、同報送信可能な通信エリア内に進入した車載装置４を検知するセンサ１０と、ＤＳＲＣ路側アンテナ１１と、路側機１を制御するＥＰＵ１２とを備えている。
【００２７】
センサ１０は、図２に示すように、あらかじめ測定された同報送信可能な通信エリア３０をスキャンし、通信エリア３０に進入した車載装置４を検知するようになっている。
【００２８】
図１において、ＥＰＵ１２は、図示しないＲＯＭやハードディスク等の不揮発性の記憶媒体に記憶されたプログラムを実行するようになっている。ＥＰＵ１２が実行するプログラムは、以下に説明する路側機１の動作を実行するためのプログラムを含んでいる。
【００２９】
車載装置４は、画像や文字を表示する液晶ディスプレー、および、音を再生するスピーカを有するコンテンツ再生装置２０と、路側機１と無線通信を行うためのＤＳＲＣ車載アンテナ２１と、車載装置４を制御するＥＰＵ２２とを備えている。
【００３０】
以上のように構成された路側機１において、その動作を説明する。
【００３１】
まず、コンテンツデータ配信センター２からネットワーク３を介して配信されたコンテンツデータが受信されると、ＥＰＵ１２は、受信されたコンテンツデータを優先度別に分類する。
【００３２】
例えば、ＥＰＵ１２は、コンテンツデータが画像データと音声データとテキストデータとによって構成されている場合には、データ量が少なく確実に情報を伝えることができるテキストデータを優先度１とし、伝えたい内容を説明する音声案内用の音声データを優先度２、伝えたい内容を補足説明するための画像データを優先度３とする。なお、ＥＰＵ１２は、ここで、複数のデータを同じ優先度に分類してもよい。
【００３３】
次に、ＥＰＵ１２は、優先度別に分類された各データを優先度が高い順に並び替える。上述した例においては、ＥＰＵ１２は、図３に示すように、テキストデータ３１、音声データ３２、画像データ３３の順に並び替える。
【００３４】
センサ１０によって通信エリアに進入した車載装置４が検知されると、ＥＰＵ１２は、ＤＳＲＣ路側アンテナ１１を介して優先度の高い順、例えば、テキストデータ３１、音声データ３２、画像データ３３の順にデータを一定時間、繰り返し同報送信する。
【００３５】
このように同報送信されたデータをＤＳＲＣ車載アンテナ２１を介して受信した車載装置４では、ＥＰＵ２２が、コンテンツ再生装置２０の液晶ディスプレーにテキストデータおよび画像データを再生させ、コンテンツ再生装置２０のスピーカに音声データを再生させる。
【００３６】
このような本発明の第１の実施の形態のＤＳＲＣシステムおよび路側機１によれば、車載装置４が通信エリア内に進入したとき、すなわち、車載装置４が通信エリア内で最も電界状況がよい地点にいるときに、優先度が高いデータから同報送信を開始するため、優先度が高いデータを従来のＤＳＲＣシステムおよび路側機より確実に車載装置４に再生させることができる。
【００３７】
（第２の実施の形態）
本発明の第２の実施の形態のＤＳＲＣシステムを図４に示す。なお、本発明の第２の実施の形態に係るＤＳＲＣシステムの各構成において、本発明の第１の実施の形態に係るＤＳＲＣシステムの各構成と同一なものについては同一の符号を付して説明を省略する。
【００３８】
路側機４１は、コンテンツデータ配信センター２と、交通量を測定する交通量測定センター４２とにネットワーク３を介して接続され、コンテンツデータ配信センター２から配信されたコンテンツデータを車載装置４に同報送信するようになっている。
【００３９】
路側機４１は、センサ１０と、ＤＳＲＣ路側アンテナ１１と、ＥＰＵ１２とを備えている。ＥＰＵ１２が実行するプログラムは、以下に説明する路側機４１の動作を実行するためのプログラムを含んでいる。
【００４０】
以上のように構成された路側機４１において、その動作を説明する。
【００４１】
まず、コンテンツデータ配信センター２からネットワーク３を介して配信されたコンテンツデータが受信されると、ＥＰＵ１２は、受信されたコンテンツデータを優先度別に分類する。
【００４２】
例えば、ＥＰＵ１２は、コンテンツデータが画像データと音声データとテキストデータとによって構成されている場合には、データ量が少なく確実に情報を伝えることができるテキストデータを優先度１とし、伝えたい内容を説明する音声案内用の音声データを優先度２、伝えたい内容を補足説明するための画像データを優先度３とする。なお、ＥＰＵ１２は、ここで、複数のデータを同じ優先度に分類してもよい。
【００４３】
次に、ＥＰＵ１２は、優先度別に分類された各データを優先度が高い順に並び替える。上述した例においては、ＥＰＵ１２は、図５（ａ）に示すように、テキストデータ３１、音声データ３２、画像データ３３の順に並び替える。
【００４４】
ＥＰＵ１２は、交通量測定センター４２からネットワーク３を介して定期的に交通量データを受信し、受信した交通量データに基づいて、車載装置４が通信エリアに入ってから出るまでの通過時間を予測する。
【００４５】
ＥＰＵ１２は、優先度が高い順に並び替えたデータを同報通信するのにかかる送信時間が、予測した最新の通過時間以下になるよう、データを選択する。
【００４６】
例えば、図５（ｂ）に示すように、テキストデータ３１、音声データ３２および画像データ３３を同報通信するのにかかる送信時間５０が通過時間５１以下の場合には、ＥＰＵ１２は、テキストデータ３１、音声データ３２および画像データ３３の全てを選択する。
【００４７】
一方、図５（ｃ）に示すように、テキストデータ３１、音声データ３２および画像データ３３を同報通信するのにかかる送信時間５０が通過時間５１を超える場合には、ＥＰＵ１２は、画像データ３３を除いた、テキストデータ３１および音声データ３２を選択する。
【００４８】
さらに、テキストデータ３１および音声データ３２を同報通信するのにかかる送信時間が通過時間を超える場合には、ＥＰＵ１２は、画像データ３３および音声データ３２を除いた、テキストデータ３１を選択する。
【００４９】
ここで、ＥＰＵ１２は、送信時間が通過時間を超えるか否かに係わらず最も優先度の高いデータを必ず選択するようにしてもよい。
【００５０】
センサ１０によって通信エリアに進入した車載装置４が検知されると、ＥＰＵ１２は、選択したデータを優先度の高い順にＤＳＲＣ路側アンテナ１１を介して同報送信する。
【００５１】
このような本発明の第２の実施の形態のＤＳＲＣシステムおよび路側機４１によれば、優先度が高いデータを従来のＤＳＲＣシステムおよび路側機より確実に車載装置４に再生させることができると共に、車載装置４が受信しきれないデータを同報送信することを防止することができる。
【００５２】
なお、本発明の第２の実施の形態において、ＥＰＵ１２は、交通量測定センター４２からネットワーク３を介して定期的に交通量データを受信し、受信した交通量データに基づいて車載装置４の通過時間を予測すると説明したが、本発明においては、あらかじめ記憶した交通量データの統計情報と現在日時とに基づいて車載装置４の通過時間を予測するようにしてもよい。
【００５３】
（第３の実施の形態）
本発明の第３の実施の形態のＤＳＲＣシステムを図６に示す。なお、本発明の第３の実施の形態に係るＤＳＲＣシステムの各構成において、本発明の第２の実施の形態に係るＤＳＲＣシステムの各構成と同一なものについては同一の符号を付して説明を省略する。
【００５４】
路側機６１は、コンテンツデータ配信センター２と、交通量測定センター４２とにネットワーク３を介して接続され、コンテンツデータ配信センター２から配信されたコンテンツデータを車載装置４に同報送信するようになっている。
【００５５】
路側機６１は、センサ１０と、ＤＳＲＣ路側アンテナ１１と、ＥＰＵ１２とを備えている。ＥＰＵ１２が実行するプログラムは、以下に説明する路側機６１の動作を実行するためのプログラムを含んでいる。
【００５６】
以上のように構成された路側機６１において、その動作を説明する。
【００５７】
まず、コンテンツデータ配信センター２からネットワーク３を介して配信されたコンテンツデータが受信されると、ＥＰＵ１２は、受信されたコンテンツデータを優先度別に分類する。
【００５８】
例えば、ＥＰＵ１２は、コンテンツデータが画像データと音声データとテキストデータとによって構成されている場合には、データ量が少なく確実に情報を伝えることができるテキストデータを優先度１とし、伝えたい内容を説明する音声案内用の音声データを優先度２、伝えたい内容を補足説明するための画像データを優先度３とする。なお、ＥＰＵ１２は、ここで、複数のデータを同じ優先度に分類してもよい。
【００５９】
次に、ＥＰＵ１２は、優先度別に分類された各データを優先度が高い順に並び替える。上述した例においては、ＥＰＵ１２は、図７（ａ）に示すように、テキストデータ３１、音声データ３２、画像データ３３の順に並び替える。
【００６０】
ＥＰＵ１２は、交通量測定センター４２からネットワーク３を介して定期的に交通量データを受信し、受信した交通量データに基づいて、車載装置４が通信エリアに入ってから出るまでの通過時間を予測する。
【００６１】
ここで、ＥＰＵ１２は、優先度が高い順に並び替えたデータの誤り訂正データを生成する。
【００６２】
ＥＰＵ１２は、優先度が高い順に並び替えたデータおよび誤り訂正データを同報通信するのにかかる送信時間が、予測した最新の通過時間以下になるよう、データを選択する。
【００６３】
例えば、図７（ｂ）に示すように、テキストデータ３１、音声データ３２、画像データ３３および誤り訂正データ３４を同報通信するのにかかる送信時間５０が通過時間５１以下の場合には、ＥＰＵ１２は、テキストデータ３１、音声データ３２および画像データ３３の全てを選択する。
【００６４】
一方、図７（ｃ）に示すように、テキストデータ３１、音声データ３２、画像データ３３および誤り訂正データ３４を同報通信するのにかかる送信時間５０が通過時間５１を超える場合には、ＥＰＵ１２は、テキストデータ３１および音声データ３２の誤り訂正データ３５を再生成し、テキストデータ３１および音声データ３２を選択する。
【００６５】
さらに、テキストデータ３１、音声データ３２および再生成した誤り訂正データを同報通信するのにかかる送信時間が通過時間を超える場合には、ＥＰＵ１２は、テキストデータ３１の誤り訂正データを再生成し、テキストデータ３１を選択する。
【００６６】
なお、ＥＰＵ１２は、送信時間が通過時間を超えるか否かに係わらず最も優先度の高いデータを必ず選択するようにしてもよい。
【００６７】
センサ１０によって通信エリアに進入した車載装置４が検知されると、ＥＰＵ１２は、選択したデータと生成した誤り訂正データとを優先度の高い順のデータおよび誤り訂正データの順にＤＳＲＣ路側アンテナ１１を介して同報送信する。
【００６８】
このような本発明の第３の実施の形態のＤＳＲＣシステムおよび路側機６１によれば、車載装置４に誤り訂正データに基づいて同報送信したデータを訂正させることができるため、データをより確実に車載装置４に再生させることができる。
【００６９】
（第４の実施の形態）
本発明の第４の実施の形態のＤＳＲＣシステムを図８に示す。なお、本発明の第４の実施の形態に係るＤＳＲＣシステムの各構成において、本発明の第１の実施の形態に係るＤＳＲＣシステムの各構成と同一なものについては同一の符号を付して説明を省略する。
【００７０】
路側機７１は、コンテンツデータ配信センター２にネットワーク３を介して接続され、コンテンツデータ配信センター２から配信されたコンテンツデータを車載装置４に同報送信するようになっている。
【００７１】
路側機７１は、センサ１０と、ＤＳＲＣ路側アンテナ１１と、ＥＰＵ１２とを備えている。ＥＰＵ１２が実行するプログラムは、以下に説明する路側機７１の動作を実行するためのプログラムを含んでいる。
【００７２】
以上のように構成された路側機７１において、その動作を説明する。
【００７３】
まず、コンテンツデータ配信センター２からネットワーク３を介して配信されたコンテンツデータが受信されると、ＥＰＵ１２は、受信されたコンテンツデータを優先度別に分類する。
【００７４】
例えば、ＥＰＵ１２は、コンテンツデータが画像データと音声データとテキストデータとによって構成されている場合には、データ量が少なく確実に情報を伝えることができるテキストデータを優先度１とし、伝えたい内容を説明する音声案内用の音声データを優先度２、伝えたい内容を補足説明するための画像データを優先度３とする。なお、ＥＰＵ１２は、ここで、複数のデータを同じ優先度に分類してもよい。
【００７５】
次に、ＥＰＵ１２は、優先度別に分類された各データを優先度が高い順に並び替える。上述した例においては、ＥＰＵ１２は、テキストデータ、音声データ、画像データの順に並び替える。
【００７６】
センサ１０によって通信エリアに進入した車載装置４が検知されると、ＥＰＵ１２は、車載装置４が優先度にしたがった同報送信を要求するか否かを問い合わせるための優先リクエスト問い合わせ情報をＤＳＲＣ路側アンテナ１１を介して送信する。
【００７７】
ここで、車載装置４から送信された優先リクエスト問い合わせ情報に対する応答がＤＳＲＣ路側アンテナ１１を介して受信され、この応答が優先度にしたがった同報送信を要求する旨を表す場合には、ＥＰＵ１２は、ＤＳＲＣ路側アンテナ１１を介して優先度の高い順、例えば、テキストデータ、音声データ、画像データの順にデータを同報送信する。
【００７８】
一方、車載装置４から送信された応答が優先度にしたがった同報送信を要求しない旨を表す場合、または、優先リクエスト問い合わせ情報を送信してから所定時間たっても車載装置４から応答がない場合には、ＥＰＵ１２は、ＤＳＲＣ路側アンテナ１１を介して優先度を考慮しないでデータを同報送信する。
【００７９】
このような本発明の第４の実施の形態のＤＳＲＣシステムおよび路側機７１によれば、車載装置４によって送信された情報に基づいて優先度にしたがって同報送信するか否かを決定するため、特定の車載装置４に優先度が高いデータをより確実に再生させることができ、車載装置４に応じたサービスを提供することができる。
【００８０】
なお、本発明の第４の実施の形態において、本発明の第１の実施の形態の路側機１を構成するＥＰＵ１２を、車載装置４によって送信された情報に基づいて優先度にしたがって同報送信するか否かを決定するように構成することによって路側機７１のＥＰＵ１２を構成した例について説明したが、本発明の第２の実施の形態の路側機４１および本発明の第３の実施の形態の路側機６１を構成する各ＥＰＵ１２を、車載装置４によって送信された情報に基づいて優先度にしたがって同報送信するか否かを決定するように構成してもよい。
【００８１】
（第５の実施の形態）
本発明の第５の実施の形態のＤＳＲＣシステムを図９に示す。なお、本発明の第５の実施の形態に係るＤＳＲＣシステムの各構成において、本発明の第１の実施の形態に係るＤＳＲＣシステムの各構成と同一なものについては同一の符号を付して説明を省略する。
【００８２】
路側機８１は、コンテンツデータ配信センター２にネットワーク３を介して接続され、コンテンツデータ配信センター２から配信されたコンテンツデータを車載装置４に同報送信するようになっている。
【００８３】
路側機８１は、センサ１０と、ＤＳＲＣ路側アンテナ１１と、ＥＰＵ１２とを備えている。ＥＰＵ１２が実行するプログラムは、以下に説明する路側機８１の動作を実行するためのプログラムを含んでいる。
【００８４】
以上のように構成された路側機８１において、その動作を説明する。
【００８５】
まず、センサ１０によって通信エリアに進入した車載装置４が検知されると、ＥＰＵ１２は、車両種別を問い合わせるための車両種別要求情報をＤＳＲＣ路側アンテナ１１を介して送信する。
【００８６】
ここで、車載装置４から車両種別要求情報に対する応答として送信された車両種別情報がＤＳＲＣ路側アンテナ１１を介して受信された場合には、ＥＰＵ１２は、コンテンツデータ配信センター２からネットワーク３を介して配信されたコンテンツデータを車両種別情報に基づいて定めた優先度別に分類する。なお、ＥＰＵ１２は、ここで、複数のデータを同じ優先度に分類してもよい。次に、ＥＰＵ１２は、優先度別に分類された各データを優先度が高い順に並び替え、ＤＳＲＣ路側アンテナ１１を介して優先度の高い順にデータを同報送信する。
【００８７】
一方、車両種別要求情報を送信してから所定時間たっても車載装置４から応答がない場合には、ＥＰＵ１２は、ＤＳＲＣ路側アンテナ１１を介して優先度を考慮しないでデータを同報送信する。
【００８８】
このような本発明の第５の実施の形態のＤＳＲＣシステムおよび路側機８１によれば、車両の種別を表す情報に基づいてデータの優先度を定めるため、車両種別に応じた優先度が高いデータをより確実に車載装置４に再生させることができる。
【００８９】
なお、本発明の第５の実施の形態において、ＥＰＵ１２は、本発明の第２の実施の形態の路側機４１を構成するＥＰＵ１２と同様に、交通量測定センターから配信された交通量データに基づいて車載装置４の通過時間を予測し、予測した通過時間に基づいて同報送信するデータを選択するようにしてもよい。
【００９０】
また、本発明の第５の実施の形態において、ＥＰＵ１２は、本発明の第３の実施の形態の路側機６１を構成するＥＰＵ１２と同様に、交通量測定センターから配信された交通量データに基づいて車載装置４の通過時間を予測し、予測した通過時間に基づいてデータを選択し、選択したデータと誤り訂正データとを同報送信するようにしてもよい。
【００９１】
以上に説明した、本発明の第１の実施の形態乃至第５の実施の形態では、コンテンツデータ配信センター２がネットワーク３を介して路側機にコンテンツデータを送信するものとして説明したが、コンテンツデータ配信センター２は、１対１の通信を行う専用の伝送路などの他の伝送路を介した有線通信や無線通信を以って路側機にコンテンツデータを送信するようにしてもよい。
【００９２】
また、本発明の第２の実施の形態および第３の実施の形態では、交通量測定センター４２がネットワーク３を介して路側機に交通量データを送信するものとして説明したが、交通量測定センター４２は、１対１の通信を行う専用の伝送路などの他の伝送路を介した有線通信や無線通信を以って路側機に交通量データを送信するようにしてもよい。
【産業上の利用可能性】
【００９３】
以上のように、本発明にかかる同報データ配信装置およびＤＳＲＣシステムは、優先度が高いデータを従来の同報データ配信装置およびＤＳＲＣシステムより確実に車載装置に再生させることができるという効果を有し、例えば、コンテンツデータを同報送信する同報データ配信装置およびＤＳＲＣシステム等として有用である。
【図面の簡単な説明】
【００９４】
【図１】本発明の第１の実施の形態におけるＤＳＲＣシステムのブロック図
【図２】本発明の第１の実施の形態における路側機を構成するセンサを説明するための概念図
【図３】本発明の第１の実施の形態における路側機によって同報送信されるデータを説明するための概念図
【図４】本発明の第２の実施の形態におけるＤＳＲＣシステムのブロック図
【図５】本発明の第２の実施の形態における路側機によって同報送信されるデータを説明するための概念図
【図６】本発明の第３の実施の形態におけるＤＳＲＣシステムのブロック図
【図７】本発明の第３の実施の形態における路側機によって同報送信されるデータを説明するための概念図
【図８】本発明の第４の実施の形態におけるＤＳＲＣシステムのブロック図
【図９】本発明の第５の実施の形態におけるＤＳＲＣシステムのブロック図
【符号の説明】
【００９５】
１、４１、６１、７１、８１  路側機
２  コンテンツデータ配信センター
３  ネットワーク
４  車載装置
１０  センサ
１１  ＤＳＲＣ路側アンテナ
１２、２２  ＥＰＵ
２０  コンテンツ再生装置
２１  ＤＳＲＣ車載アンテナ
４２  交通量測定センター
【図１】
2006254184.tif 000003
【図２】
2006254184.tif 000004
【図３】
2006254184.tif 000005
【図４】
2006254184.tif 000006
【図５】
2006254184.tif 000007
【図６】
2006254184.tif 000008
【図７】
2006254184.tif 000009
【図８】
2006254184.tif 000010
【図９】
2006254184.tif 000011